(57)【要約】【課題】化粧についての十分な知識を有さない人であっても、ＴＰＯ（時間、場所および目的）をわきまえた適切な化粧を容易に行うこと。【解決手段】サーバ装置４は、化粧を施す対象となるユーザの顔画像を取得する顔画像取得部４３１と、ユーザのスケジュールを取得するスケジュール取得部４３２と、スケジュール取得部により取得したスケジュールの時間、場所および目的に基づいて、スケジュールに適した化粧をユーザの顔画像に施したシミュレーション画像を作成するシミュレーション画像作成部４３５と、シミュレーション画像作成部４３５にて作成したシミュレーション画像を、ユーザにより指定されたユーザ端末２、同乗者端末３および車載端末５０のいずれかまたは全てに出力する出力部４３７とを備える。【選択図】図４
2020154693.tif 000002
【特許請求の範囲】
【請求項１】
化粧を施す対象となるユーザの顔画像を取得する顔画像取得部と、
ユーザのスケジュールを取得するスケジュール取得部と、
前記スケジュール取得部により取得した前記スケジュールの時間、場所および目的の少なくとも１つに基づいて、該スケジュールに適した化粧をユーザの顔画像に施したシミュレーション画像を作成するシミュレーション画像作成部と、
前記シミュレーション画像作成部にて作成したシミュレーション画像を、ユーザにより指定された１または複数の端末に出力する出力部とを備えることを特徴とする化粧支援装置。
【請求項２】
請求項１に記載の化粧支援装置において、
前記取得された前記スケジュールの中に前記場所または前記時間が含まれる場合、前記スケジュールの実行場所または時間の天候情報を取得する天候情報取得部をさらに備え、
前記シミュレーション画像作成部は、前記天候情報取得部により取得された天候情報に基づいて、作成する前記シミュレーション画像の色調を調整する、ことを特徴とする化粧支援装置。
【請求項３】
請求項１または２に記載の化粧支援装置において、
前記出力部は、ユーザの利用環境に応じて、ユーザによって指定された１または複数の前記端末に前記シミュレーション画像を出力する、ことを特徴とする化粧支援装置。
【請求項４】
請求項１〜３のいずれか１項に記載の化粧支援装置おいて、
ユーザの嗜好が格納された嗜好記憶部をさらに備え、
前記シミュレーション画像作成部は、前記嗜好記憶部に記憶されたユーザの嗜好を優先して前記シミュレーション画像を作成する、ことを特徴とする化粧支援装置。
【請求項５】
請求項１〜４のいずれか１項に記載の化粧支援装置において、
時間、場所および目的少なくとの１つに基づいて作成された複数のメイク画像が格納されたメイク画像記憶部をさらに備え、
前記シミュレーション画像作成部は、前記メイク画像記憶部に格納されたメイク画像に基づいて、前記シミュレーション画像を作成する、ことを特徴とする化粧支援装置。
【請求項６】
請求項５に記載の化粧支援装置において、
前記メイク画像記憶部に記憶されるメイク画像は、地域に特化したメイク画像を含む、ことを特徴とする化粧支援装置。
【請求項７】
請求項１〜６のいずれか１項に記載の化粧支援装置と、
化粧を施す対象となるユーザの顔を撮像する撮像装置と、
前記シミュレーション画像を出力する、ユーザにより指定された１または複数の前記端末とを備えることを特徴とする化粧支援システム。
【請求項８】
請求項７に記載の化粧支援システムにおいて、
前記撮像装置は、ユーザが所有または利用する車両に搭載される車載カメラを含み、
前記端末は、前記車両に搭載される車載端末を含む、ことを特徴とする化粧支援システム。
【請求項９】
請求項８に記載の化粧支援システムにおいて、
前記端末は、前記車両に同乗する同乗者の端末を含む、ことを特徴とする化粧支援システム。
【発明の詳細な説明】
【技術分野】
【０００１】
本発明は、化粧支援装置およびこれを備える化粧支援システムに関する。
【背景技術】
【０００２】
昨今、化粧に対するユーザからのニーズも多様化が進んでおり、多様化した化粧のユーザからのニーズにこたえるべく、ユーザの化粧を支援する様々な技術が提案されている（例えば特許文献１参照）。
【先行技術文献】
【特許文献】
【０００３】
【特許文献１】国際公開第２０１５／１５２０２８号
【発明の概要】
【発明が解決しようとする課題】
【０００４】
ところで化粧は、流行や化粧を施す人の好みだけでなく、時間、場所および目的（以下、ＴＰＯともいう）をわきまえた化粧を施すことが適切である。しかしながら、化粧についての十分な知識を有さない人には、このような適切な化粧が分からない人も多く、実際に化粧を施した後に親や友人等から指摘されることがある。そうすると、化粧を手直しするのに手間と時間を要し、限られた時間の中で化粧を施すことが困難となる場合がある。
【課題を解決するための手段】
【０００５】
本発明の一態様である化粧支援装置は、化粧を施す対象となるユーザの顔画像を取得する顔画像取得部と、ユーザのスケジュールを取得するスケジュール取得部と、スケジュール取得部により取得したスケジュールの時間、場所および目的の少なくとも１つに基づいて、スケジュールに適した化粧をユーザの顔画像に施したシミュレーション画像を作成するシミュレーション画像作成部と、シミュレーション画像作成部にて作成したシミュレーション画像を、ユーザにより指定された１または複数の端末に出力する出力部とを備える。
【０００６】
本発明の他の態様である化粧支援システムは、上述の化粧支援装置と、化粧を施す対象となるユーザの顔を撮像する撮像装置と、シミュレーション画像を出力する、ユーザにより指定された１または複数の端末とを備える。
【発明の効果】
【０００７】
本発明によれば、化粧についての十分な知識を有さない人であっても、ＴＰＯ（時間、場所および目的）をわきまえた適切な化粧を容易に行うことができる。
【図面の簡単な説明】
【０００８】
【図１】本発明の実施形態に係る化粧支援装置を備える化粧支援システムの概略構成図。
【図２】図１に示すユーザ端末の要部構成を示すブロック図。
【図３】図１に示す同乗者端末の要部構成を示すブロック図。
【図４】図１に示すサーバ装置の要部構成を示すブロック図。
【図５】図１に示す車載端末の要部構成を示すブロック図。
【図６】図１に示す事業体サーバの要部構成を示すブロック図。
【図７Ａ】図１に示す化粧支援システムにおける一連の化粧支援処理の流れを示すシーケンス図。
【図７Ｂ】図１に示す化粧支援システムにおける一連の化粧支援処理の流れを示すシーケンス図。
【図８】図１に示すサーバ装置の演算部で実行される化粧支援処理の一例を示すフローチャート。
【発明を実施するための形態】
【０００９】
以下、図１〜図８を参照して本発明の一実施形態について説明する。本発明の実施形態に係る化粧支援装置およびこれを備える化粧支援システムでは、例えば、化粧を施す対象となるユーザの顔画像および該ユーザのスケジュールを取得し、該スケジュールの時間、場所および目的（以下、ＴＰＯともいう）の少なくとも１つに基づいて、スケジュールに適した化粧をユーザの顔画像に施したシミュレーション画像を作成する。例えば１８時からのホテルでの会食、また例えば恋人との１３時からの屋外でのデートや２０時からのレストランでの食事、また例えば９時から始まるオフィスでの仕事等、ＴＰＯに応じた化粧を施したシミュレーション画像を作成する。
【００１０】
そして、作成したシミュレーション画像を、ユーザにより指定された１または複数の端末に出力する。例えばユーザ自身の端末に加え、ユーザの知人の端末やユーザが所有する車両の車載端末等に出力する。ユーザの知人の端末としては、ユーザの親や友人の端末、ユーザの恋人の端末、ユーザの同僚の端末等が挙げられる。
【００１１】
これにより、例えば、実際に化粧を施す前に、ＴＰＯに応じた化粧をシミュレーション画像上で確認することができるとともに、親、友人、恋人および同僚等の知人や車両の同乗者等にこれから施す化粧を確認してもらうことが可能になる。その結果、実際に化粧を施した後に知人から指摘を受けて手直し等をする時間が短縮され、限られた時間の中で容易に化粧を施すことができる。このように、本実施形態に係る化粧支援装置およびこれを備える化粧支援システムを用いることで、化粧についての十分な知識を有さない人であっても、ＴＰＯ（時間と場所、目的）をわきまえた適切な化粧を容易に行うことができる。
【００１２】
化粧支援装置およびこれを備える化粧支援システムを用いた化粧支援サービスを提供する事業体としては、例えば、化粧品の製造販売等を行う化粧品製造販売会社、化粧に関する書籍を出版する出版会社、衣装のレンタル等を行うレンタル衣装会社、車両貸出サービスを提供する事業体等が挙げられる。本実施形態に係る化粧支援装置を備える化粧支援システムでは、ユーザや知人等が所有する携帯無線端末やユーザが所有または利用する車両の車載端末等を介して、化粧支援サービスを利用することができる。
【００１３】
以下では、ユーザが友人（同乗者）とユーザが所有する車両に乗車して１８時からのホテルでの会食に出かける際に、ユーザの有するユーザ端末、同乗者の有する同乗者端末および車両に搭載された車載端末を介して、化粧支援装置を備える化粧支援システムを利用する例を説明する。図１は、本発明の実施形態に係る化粧支援装置１０１を備える化粧支援システム１００の概略構成図である。
【００１４】
化粧支援システム１００では、化粧支援サービスを利用するユーザは、化粧支援サービスを提供する事業体に予め必要な情報を登録した者である。ユーザが化粧支援システム１００を利用するために用いる端末は、化粧支援専用端末でもよいが、化粧支援システム１００では、ユーザ自身が所有するユーザ端末２が適している。
【００１５】
化粧支援システム１００では、車両５に同乗する同乗者は、ユーザの知人（例えば、友人、恋人、親、姉妹、親戚等）であり、化粧支援サービスを提供する事業体にユーザの知人として登録した者である。同乗者が化粧支援システム１００を利用するために用いる端末は、化粧支援専用端末でもよいが、化粧支援システム１００では、同乗者が所有する同乗者端末３が適している。
【００１６】
ユーザが所有する車両５の車載端末５０は、化粧支援サービスを提供する事業体に予め必要な情報を登録した車両５の車載端末５０である。ユーザが化粧支援システム１００を利用するために用いる車両５の車載端末５０は、化粧支援専用端末でもよいが、化粧支援システム１００では、ユーザ自身が所有する車両５の車載端末５０が適している。
【００１７】
またユーザが化粧支援システム１００を利用するときに用いる車両５は、ユーザ自身が運転する車両でもよいが、自動運転モード機能を有する自動運転車両が適している。自動運転車両を用いることで、目的地に移動しながら車内で化粧支援を受けることが可能になり、時間を有効に使うことができる。
【００１８】
以下、本実施形態に係る化粧支援装置１０１およびこれを備えた化粧支援システム１００について、具体的に説明する。
【００１９】
図１に示すように、化粧支援システム１００は、化粧支援サービスを利用するユーザの所有するユーザ端末２と、ユーザの所有する車両５に同乗する同乗者の所有する同乗者端末３と、主に化粧支援装置１０１を構成するサーバ装置４とを備える。本実施形態では、さらに、ユーザの所有する車両５に搭載された車載端末５０と、複数のメイク画像が格納された事業体端末６とを備える。なお、図１には、便宜上、１つの事業体端末６および１つの同乗者端末３が示されているが、実際には複数の事業体端末６および複数の同乗者端末３を設けることができる。
【００２０】
ユーザ端末２と、同乗者端末３と、サーバ装置４と、車載端末５０と、事業体端末６とは、無線通信網、インターネット通信網、電話回線網などの通信ネットワーク７に接続される。なお、上述のサーバ装置４に代えて、例えば後述する図４に示すサーバ機能をユーザ端末２に設ける構成としてもよく、車載端末５０に設ける構成としてもよい。これらの場合サーバ装置４の後述するメイク画像データベース４４２を、クラウド上での仮想サーバを利用した構成または事業体端末６を利用した構成とすることもできる。
【００２１】
ユーザ端末２は、ユーザにより操作されるパーソナルコンピュータやスマートフォンに代表される携帯無線端末等により構成される。図２は、図１に示すユーザ端末２の要部構成を示すブロック図である。図２に示すように、ユーザ端末２は、通信部２１と、入出力部２２と、演算部２３と、記憶部２４と、撮像部２５と、天候情報取得部２６と、日射量測定部２７と、センサ群２８とを有する。
【００２２】
通信部２１は、通信ネットワーク７を介してサーバ装置４と無線通信可能に構成される。通信部２１は、ユーザを識別するユーザＩＤとともに、化粧支援開始信号、スケジュール等のパラメータ情報、天候情報、日射量情報、ユーザの位置情報、ユーザの顔画像および画像共有信号等をサーバ装置４に送信する。また通信部２１は、各種要求信号、シミュレーション画像等をサーバ装置４から受信する。
【００２３】
入出力部２２は、例えばキーボード、モニタ、タッチパネル等を有する。ユーザは、入出力部２２を介してユーザ情報を入力する。ユーザ情報には、ユーザの住所、氏名、連絡先、決済に必要な情報（例えばクレジットカード番号）、ユーザ端末２のＩＰアドレス、化粧に対するユーザの嗜好情報等が含まれる。ユーザ情報を入力して会員登録した後にユーザＩＤが発行され、化粧支援サービスの利用が可能となる。
【００２４】
化粧支援サービスの利用時には、パラメータ情報として、化粧支援に適用されるユーザのスケジュールが入力される。スケジュールには、化粧をする目的と、その時間帯および場所とが含まれる。本実施形態では、化粧をする目的として会食を入力し、その時間帯として１８時を入力し、その場所としてホテルを入力する。
【００２５】
ユーザは、予めユーザ端末２にインストールした化粧支援のアプリケーションを用いてスケジュールを入力することができる。ユーザがアプリケーションを起動すると、サーバ装置４からスケジュールの入力が要求され、ユーザによってスケジュールが入力されると、入力されたスケジュールが通信部２１を介してサーバ装置４に送信される。
【００２６】
サーバ装置４から送信されたシミュレーション画像を、同乗者端末３および車載端末５０に映して同乗者と共有する場合には、パラメータ情報として、共有する同乗者の同乗者ＩＤおよび車両５の車両ＩＤがユーザによって入力される。ユーザによって画像を共有する同乗者ＩＤおよび車両５の車両ＩＤが入力されると、画像共有の要求信号が通信部２１を介してサーバ装置４に送信され、サーバ装置４から同乗者端末３および車載端末５０にシミュレーション画像が出力される。
【００２７】
演算部２３はＣＰＵを有し、入出力部２２を介して入力された信号、通信部２１を介してユーザ端末２の外部（例えばサーバ装置４）から受信した信号および記憶部２４に記憶されたプログラム等に基づいて所定の処理を実行し、通信部２１、入出力部２２および記憶部２４にそれぞれ制御信号を出力する。演算部２３でのこの処理により、ユーザは入出力部２２（モニタなど）を介して、サーバ装置４から送信されたシミュレーション画像の確認等を行うことができる。また演算部２３でのこの処理により、サーバ装置４への画像共有の要求信号の送信指示を行うことができる。
【００２８】
演算部２３は、撮像部２５で撮像されたユーザの顔画像データおよび記憶部２４に記憶されたプログラム等に基づいて所定の処理を実行し、通信部２１、撮像部２５および記憶部２４にそれぞれ制御信号を出力する。演算部２３でのこの処理により、サーバ装置４にユーザの顔画像データを送信することができる。
【００２９】
演算部２３は、天候情報取得部２６で取得した天候情報および記憶部２４に記憶されたプログラム等に基づいて所定の処理を実行し、通信部２１、天候情報取得部２６および記憶部２４にそれぞれ制御信号を出力する。演算部２３でのこの処理により、サーバ装置４に天候情報取得部２６が取得した天候情報を送信することができる。
【００３０】
演算部２３は、日射量測定部２７で測定した日射量および記憶部２４に記憶されたプログラム等に基づいて所定の処理を実行し、通信部２１、日射量測定部２７および記憶部２４にそれぞれ制御信号を出力する。演算部２３でのこの処理により、サーバ装置４に日射量測定部２７が測定した日射量を送信することができる。
【００３１】
演算部２３は、センサ群２８が検出した位置情報および記憶部２４に記憶されたプログラム等に基づいて所定の処理を実行し、通信部２１、センサ群２８および記憶部２４にそれぞれ制御信号を出力する。演算部２３でのこの処理により、サーバ装置４にユーザの位置情報（ユーザ端末２を所持するユーザの位置情報）を送信することができる。
【００３２】
記憶部２４は、図示しない揮発性または不揮発性メモリを有する。記憶部２４には、演算部２３が実行する各種のプログラムや、各種のデータが記憶される。記憶部２４は、メモリが担う機能的構成の一例として、ユーザ端末２の位置情報の検出に用いられる地図データベース等を有している。
【００３３】
撮像部２５は、ＣＣＤやＣＭＯＳ等の撮像素子を有するカメラであり、ユーザの顔を撮像可能である。サーバ装置４は、撮像部２５で撮像されたユーザの顔画像を受信することで、ユーザの顔画像を検出し、検出した顔画像にスケジュールに適した化粧を施す。
【００３４】
天候情報取得部２６は、スケジュールの実行場所での天候情報を取得する装置であり、通信ネットワーク７を介して、化粧支援システム１００の外部から天候情報を取得する。本実施形態では、１８時頃のホテル近郊の天候情報を取得する。サーバ装置４は、天候情報取得部２６が取得した天候情報を受信することで、ユーザのスケジュールの実行場所での天候情報を検出する。
【００３５】
日射量測定部２７は、ユーザが化粧をする場所の日射量を測定する装置であり、単位時間・単位面積当たりの太陽から放射されるエネルギー量を測定可能である。日射量測定部２７としては、一般的な日射計を用いることができ、ここではその説明を省略する。サーバ装置４は、日射量測定部２７が測定した日射量を受信することで、ユーザが乗車する車内（化粧を施す場所）の日射量を検出する。
【００３６】
センサ群２８は、ユーザ端末２の状態を検出する各種センサを含む。センサ群２８は、一例として、ＧＰＳ衛星からの信号を受信してユーザ端末２の位置を検出するＧＰＳセンサ２８１を有する。図示は省略するが、残バッテリ容量を検出する残バッテリ容量検出センサ、電波の受信状況を検出する電波受信センサなどもセンサ群２８に含まれる。サーバ装置４は、ＧＰＳセンサ２８１が検出した位置情報を受信することで、ユーザ端末２の位置情報を検出し、ユーザ端末２を所有するユーザの位置情報を検出する。
【００３７】
同乗者端末３は、同乗者により操作されるパーソナルコンピュータやスマートフォンに代表される携帯無線端末等により構成される。図３は、図１に示す同乗者端末３の要部構成を示すブロック図である。図３に示すように、同乗者端末３は、通信部３１と、入出力部３２と、演算部３３と、記憶部３４と、センサ群３５とを有する。
【００３８】
通信部３１は、通信ネットワーク７を介してサーバ装置４と無線通信可能に構成される。通信部３１は、作成されたシミュレーション画像を共有する画像共有者（本実施形態では同乗者）を識別する画像共有者ＩＤとともに画像共有者の位置情報等をサーバ装置４に送信する。また通信部３１は、共有するシミュレーション画像等をサーバ装置４から受信する。
【００３９】
入出力部３２は、例えばキーボード、モニタ、タッチパネル等を有する。同乗者は、入出力部２２を介して共有者情報を入力する。共有者情報には、画像共有者（本実施形態では同乗者）の氏名、同乗者端末３のＩＰアドレス等が含まれる。共有者情報を入力して画像共有登録した後に画像共有者ＩＤが発行され、必要に応じてシミュレーション画像が入出力部３２（モニタなど）に出力されるようになる。なお、上述の共有者情報は、ユーザ端末２により入力される構成であってもよい。
【００４０】
演算部３３はＣＰＵを有し、入出力部３２を介して入力された信号、通信部３１を介して同乗者端末３の外部（例えばサーバ装置４）から受信した信号および記憶部３４に記憶されたプログラム等に基づいて所定の処理を実行し、通信部３１、入出力部３２および記憶部３４にそれぞれ制御信号を出力する。演算部３３でのこの処理により、同乗者は入出力部３２（モニタなど）を介して、サーバ装置４から送信されたシミュレーション画像の確認等を行うことができる。
【００４１】
演算部３３は、センサ群３５が検出した位置情報および記憶部３４に記憶されたプログラム等に基づいて所定の処理を実行し、通信部３１、センサ群３５および記憶部３４にそれぞれ制御信号を出力する。演算部３３でのこの処理により、サーバ装置４に同乗者の位置情報（同乗者端末３を所有する同乗者の位置情報）を送信することができる。
【００４２】
サーバ装置４は、受信したユーザの位置情報と同乗者の位置情報とに基づいて、同乗者端末３にシミュレーション画像を送信するか否かを判定することもできる。例えばユーザと同乗者とが所定距離以内の位置に居る場合には、同乗者にシミュレーション画像を送信し、所定距離以上離れている場合には、同乗者へシミュレーション画像を送信しないようにすることができる。
【００４３】
記憶部３４は、図示しない揮発性または不揮発性メモリを有する。記憶部３４には、演算部２３が実行する各種のプログラムや、各種のデータが記憶される。記憶部３４は、メモリが担う機能的構成の一例として、同乗者端末３の位置情報の検出に用いられる地図データベース等を有している。
【００４４】
センサ群３５は、同乗者端末３の状態を検出する各種センサを含む。センサ群３５は、一例として、ＧＰＳ衛星からの信号を受信して同乗者端末３の位置を検出するＧＰＳセンサ３５１を有する。図示は省略するが、残バッテリ容量を検出する残バッテリ容量検出センサ、電波の受信状況を検出する電波受信センサなどもセンサ群３５に含まれる。サーバ装置４は、ＧＰＳセンサ３５１が検出した位置情報を受信することで、同乗者端末３の位置情報を検出し、同乗者端末３を所持する同乗者の位置情報を検出する。
【００４５】
サーバ装置４は、例えば化粧支援ビジネスを行う事業体に設けられる。クラウド上で仮想サーバ機能を利用して、サーバ装置４を構成することもできる。図４は、図１に示すサーバ装置４の要部構成を示すブロック図である。図４に示すように、サーバ装置４は、通信部４１と、入出力部４２と、演算部４３と、記憶部４４とを有する。
【００４６】
通信部４１は、通信ネットワーク７を介して、ユーザ端末２、同乗者端末３および車載端末５０と無線通信可能に構成される。入出力部４２は、例えばキーボード、マウス、モニタ、タッチパネル等を有する。演算部４３はＣＰＵを有し、入出力部４２を介して入力された信号、通信部４１を介してサーバ装置４の外部から受信した信号、および記憶部４４に記憶されたプログラムに基づいて所定の処理を実行し、入出力部４２や記憶部４４に制御信号を出力する。なお、化粧支援処理を実行する演算部４３の機能的構成については後述する。
【００４７】
記憶部４４は、図示しない揮発性または不揮発性メモリを有する。記憶部４４には、演算部４３が実行する各種のプログラムや、各種のデータが記憶される。記憶部４４は、メモリが担う機能的構成として、ユーザデータベース４４１と、メイク画像データベース４４２とを有する。
【００４８】
ユーザデータベース４４１は、ユーザＩＤと、ユーザ端末２（入出力部２２）を介して入力された各ユーザの住所、氏名、連絡先、化粧に関するユーザの嗜好情報等のユーザ情報を記憶する。すなわちユーザデータベース４４１は、ユーザＩＤに対応付けて各ユーザの嗜好情報を記憶する嗜好記憶部を構成する。
【００４９】
ユーザの嗜好情報には、ユーザ情報として予め入力された嗜好情報に加え、蓄積されたメイク画像が存在する場合には、蓄積されたメイク画像から想定される嗜好情報等が含まれる。ユーザの嗜好情報には、例えば、好みの化粧料の色、塗布濃度および塗布範囲等が含まれており、これらが部位（例えば、目、鼻、口、頬等）ごとに記憶される。
【００５０】
メイク画像データベース４４２には、流行別、年代別（年齢別）、目的別、地域別等のメイクが施された複数のメイク画像が記憶される。メイク画像データベース４４２は、記憶されるメイク画像の一例として、目的に特化した目的別のメイクが格納された目的別データベース４４２ａと、地域に特化した地域別のメイクが格納された地域別データベース４４２ｂとを有する。
【００５１】
目的別データベース４４２ａには、例えば、オフィス（仕事）に適したメイク画像、デートに適したメイク画像、会食等に適したメイク画像等が記憶されており、それぞれにおいて、各年代に適したメイク画像が格納されている。デートに適したメイク画像および会食等に適したメイク画像においては、各時間帯、場所および天候に適したメイク画像等も格納されている。
【００５２】
地域別データベース４４２ｂには、例えば、関東に特化したメイク画像や関西に特化したメイク画像等が年代別に記憶されている。例えば、東京都の丸の内に特化したメイク画像では、仕事の出来る女性に魅せるメイク画像が年代別に記憶されたり、栃木県の宇都宮に特化したメイク画像では、可愛らしいナチュラルメイクの画像が年代別に記憶される。この他にも、青森県に特化した美白メイクの画像や沖縄県に特化した健康メイクの画像等、様々な地域に特化したメイク画像が記憶される。
【００５３】
なお、サーバ装置４は、メイク画像データベース４４２を、クラウド上での仮想サーバを利用した構成または事業体端末６を利用した構成とすることもできる。
【００５４】
図４に示すように、演算部４３は、プロセッサが担う機能的構成として、顔画像取得部４３１と、スケジュール取得部４３２と、天候情報取得部４３３と、日射量測定部４３４と、シミュレーション画像作成部４３５と、利用環境取得部４３６と、出力部４３７とを有する。
【００５５】
顔画像取得部４３１は、化粧を施す対象となるユーザの顔画像を取得する。本実施形態では、顔画像取得部４３１は、ユーザ端末２の撮像部２５または車両５の後述する車載カメラ５９で撮像されたユーザの顔画像を取得する。具体的には、顔画像取得部４３１は、撮像部２５または車載カメラ５９で撮像されたユーザの顔画像を、通信部４１を介して受信することで取得する。なお、本実施形態においては、サーバ装置４に顔画像取得部４３１を設ける構成としたが、例えば、サーバ装置４の顔画像取得部４３１に代えて、ユーザ端末２の撮像部２５または車両５の車載カメラ５９を顔画像取得部とする構成であってもよい。
【００５６】
スケジュール取得部４３２は、ユーザのスケジュールを取得する。本実施形態では、スケジュール取得部４３２は、ユーザによってユーザ端末２の入出力部２２を介して入力されたスケジュール情報を、通信部４１を介して受信することで取得する。
【００５７】
天候情報取得部４３３は、スケジュールの実行場所および時間の天候情報を取得する。本実施形態においては、天候情報取得部４３３は、ユーザ端末２の天候情報取得部２６が取得した天候情報を、通信部４１を介して受信することで取得する。なお、本実施形態においては、サーバ装置４に天候情報取得部４３３を設ける構成としたが、例えば、サーバ装置４の天候情報取得部４３３に代えて、ユーザ端末２の天候情報取得部２６を天候情報取得部とする構成であってもよい。
【００５８】
日射量測定部４３４は、ユーザが化粧をする場所の日射量を取得する。本実施形態においては、日射量測定部４３４は、ユーザ端末２の日射量測定部２７が取得した日射量を、通信部４１を介して受信することで取得する。なお、本実施形態においては、サーバ装置４に日射量測定部４３４を設ける構成としたが、例えば、サーバ装置４の日射量測定部４３４に代えて、ユーザ端末２の日射量測定部２７を日射量測定部としてもよい。
【００５９】
シミュレーション画像作成部４３５は、スケジュール取得部４３２により取得したスケジュールの時間、場所および目的の少なくとも１つに基づいて、スケジュールに適した化粧をユーザの顔画像に施したシミュレーション画像を作成する。本実施形態においては、シミュレーション画像作成部４３５は、スケジュールの時間、場所および目的に基づいて、メイク画像データベース４４２に記憶されたメイク画像からスケジュールに適したメイク画像を抽出し、これに基づいてユーザの顔画像に化粧を施したシミュレーション画像を作成する。
【００６０】
例えばシミュレーション画像作成部４３５は、メイク画像データベース４４２の目的別データベース４４２ａに記憶された複数のメイク画像からスケジュールに適したメイク画像を抽出する。そして、抽出したメイク画像に基づいてユーザの顔画像に化粧を施したシミュレーション画像を作成する。
【００６１】
具体的にはシミュレーション画像作成部４３５は、先ず、オフィス（仕事）に適したメイク画像、デートに適したメイク画像、会食等に適したメイク画像等、スケジュールの目的に適したメイク画像を目的別データベース４４２ａから抽出する。本実施形態では、会食等に適したメイク画像を抽出する。次に、シミュレーション画像作成部４３５は、この中から、スケジュールが実行される時間帯および場所に適したメイク画像を抽出する。本実施形態では、シミュレーション画像作成部４３５は、時間は１８時、場所はホテルとした条件のメイク画像を、上述の中から抽出する。
【００６２】
本実施形態においては、さらに、シミュレーション画像作成部４３５は、メイク画像データベース４４２の地域別データベース４４２ｂに記憶されたメイク画像から、スケジュールが実行される地域に適したメイク画像を抽出する。例えば、丸の内に特化したメイク画像や宇都宮に特化したメイク画像を抽出する。
【００６３】
シミュレーション画像作成部４３５は、目的別データベース４４２ａから抽出したメイク画像および地域別データベース４４２ｂから抽出したメイク画像に基づいて、ユーザの顔画像に化粧を施す。目的別データベース４４２ａから抽出したメイク画像に基づいてシミュレーション画像を作成することで、化粧についての十分な知識を有さない人であっても、ＴＰＯ（時間と場所、目的）をわきまえた適切な化粧を容易に行うことができる。さらに、地域別データベース４４２ｂから抽出したメイク画像に基づいてシミュレーション画像を作成することで、地域に特化したメイク術が取り入れられ、より最適なメイクを施すことが可能になる。
【００６４】
このときシミュレーション画像作成部４３５は、ユーザデータベース４４１に記憶されたユーザの嗜好を優先してシミュレーション画像を作成する。例えば、ナチュラルメイクが好みのユーザに対しては、ナチュラルメイクを考慮したシミュレーション画像を作成し、しっかりとしたメイクが好みのユーザに対しては、メリハリのあるメイクを考慮したシミュレーション画像を作成する。ユーザの嗜好を優先してシミュレーション画像を作成することで、ＴＰＯ（時間、場所および目的）をわきまえ、かつ自分の嗜好を取り入れた、適切な化粧をすることができる。
【００６５】
シミュレーション画像を作成すると、シミュレーション画像作成部４３５は、天候情報取得部４３３により取得された天候情報に基づいて、作成するシミュレーション画像の色調を調整する。具体的には、スケジュールが実行される場所の天候が晴れの場合には、明るさを押さえた化粧が適していると思われることから、全体的に色調を抑えた化粧を顔画像に施したシミュレーション画像を作成する。またスケジュールが実行される場所の天候が曇りまたは雨の場合には、明るめの化粧が適していると思われることから、全体的に色調を強調した化粧を顔画像に施したシミュレーション画像を作成する。
【００６６】
またシミュレーション画像作成部４３５は、日射量測定部４３４により取得された日射量に基づいて、シミュレーション画像の色調を調整する。例えば、日射量が所定値以上の場合には、シミュレーション画像の色調を暗くし、日射量が所定値よりも低い場合には、シミュレーション画像の色調を明るくする。日射量に基づいてシミュレーション画像の色調を調整することで、例えば、化粧についての十分な知識を有さない人であっても、化粧を施す場所（例えば車内）での日射量にかかわらず、適切な化粧を行うことができる。
【００６７】
利用環境取得部４３６は、化粧支援サービスを利用するユーザの利用環境を取得する。利用環境とは、ユーザが化粧支援サービスを利用する場所およびユーザの顔画像を共有する人数である。利用環境取得部４３６は、化粧支援サービスを利用するユーザの利用環境が、車内であるか車外であるかの情報を取得する。利用環境取得部４３６は、入出力部２２，３２，５２により入力された情報に基づいて、利用環境が車内であるか車外であるかの情報を取得することができる。また利用環境取得部４３６は、ユーザ端末２、同乗者端末３および車両５の位置情報に基づいて、利用環境が車内であるか車外であるかを判定することもできる。
【００６８】
また利用環境取得部４３６は、化粧支援サービスを利用するユーザの利用環境として、ユーザのみでの利用であるか、ユーザを含む複数人で顔画像を共有するかの情報を取得する。利用環境取得部４３６は、入出力部２２，３２，５２により入力された情報に基づいて、ユーザのみでの利用であるか、ユーザを含む複数人で顔画像を共有するかの情報を取得することができる。また利用環境取得部４３６は、ユーザ端末２、同乗者端末３および車両５の位置情報に基づいて、ユーザを含む複数人で顔画像を共有するかの情報を取得することができる。
【００６９】
例えば利用環境取得部４３６は、受信したユーザ端末２、同乗者端末３および車両５の位置情報が所定距離以内にあることを検出すると、ユーザが同乗者と車内で顔画像を共有すると判断することができる。
【００７０】
出力部４３７は、シミュレーション画像作成部４３５にて作成したシミュレーション画像を、ユーザにより指定された１または複数の端末に出力する。本実施形態においては、出力部４３７は、利用環境取得部４３６により取得された利用環境に応じて、ユーザにより指定された１または複数の端末に出力する。例えば出力部４３７は、利用環境取得部４３６がユーザが同乗者とともに車内に居ることを検出すると、シミュレーション画像作成部４３５にて作成したシミュレーション画像を、ユーザ端末２、同乗者端末３および車載端末５０に出力する。
【００７１】
車載端末５０は、ユーザが所有するあるいは利用する車両５に設けられる。図５は、図１に示す車載端末５０の要部構成を示すブロック図である。図５に示すように、車載端末５０は、通信部５１と、入出力部５２と、演算部５３と、記憶部５４と、撮像部５５と、日射量測定部５６と、センサ群５７とを有する。本実施形態では、撮像部５５は、車載カメラ５９により構成されている。
【００７２】
通信部５１は、通信ネットワーク７を介してサーバ装置４と無線通信可能に構成される。入出力部５２は、例えばキーボード、モニタ、タッチパネル等を有する。ユーザは、入出力部５２を介して車両情報を入力する。車両情報には、例えば車体番号、車載端末５０のＩＰアドレス等が含まれる。車両情報を入力して車両登録した後に車両ＩＤが発行され、必要に応じてシミュレーション画像が入出力部５２（モニタなど）に出力されるようになる。
【００７３】
なお、上述の車両情報は、ユーザ端末２により入力される構成であってもよい。また入出力部５２を介してユーザが行き先を入力することで、化粧支援に適用されるユーザのスケジュールの入力に代えることもできる。
【００７４】
演算部５３はＣＰＵを有し、入出力部５２を介して入力された信号、通信部５１を介して車載端末５０の外部（例えばサーバ装置４）から受信した信号、および記憶部５４に記憶されたプログラム等に基づいて所定の処理を実行し、入出力部５２や記憶部５４に制御信号を出力する。演算部５３でのこの処理により、ユーザおよび同乗者は入出力部５２（モニタなど）を介して、サーバ装置４から送信されたシミュレーション画像の確認等を行うことができる。
【００７５】
演算部５３は、センサ群５７が検出した位置情報および記憶部５４に記憶されたプログラム等に基づいて所定の処理を実行し、通信部５１、センサ群５７および記憶部５４にそれぞれ制御信号を出力する。演算部５３でのこの処理により、サーバ装置４に車両の位置情報を送信することができる。
【００７６】
サーバ装置４は、受信した車両５の位置情報とユーザの位置情報とに基づいて、車載端末５０にシミュレーション画像を送信するか否かを判定することもできる。例えばユーザと車両５とが所定距離以内の位置に居る場合には、車載端末５０にシミュレーション画像を送信し、所定距離以上離れている場合には、車載端末５０へシミュレーション画像を送信しないようにすることができる。
【００７７】
記憶部５４は、図示しない揮発性または不揮発性メモリを有する。記憶部５４には、演算部５３が実行する各種のプログラムや、各種のデータが記憶される。記憶部５４は、メモリが担う機能的構成の一例として、車両５の位置情報の検出に用いられる地図データベース等を有している。
【００７８】
車載カメラ５９（撮像部５５）は、ＣＣＤやＣＭＯＳ等の撮像素子を有するカメラであり、車内のユーザの顔を撮像可能である。サーバ装置４は、車載カメラ５９で撮像されたユーザの顔画像を受信することで、ユーザの顔画像を検出し、検出した顔画像にスケジュールに適した化粧を施すこともできる。
【００７９】
日射量測定部５６は、日射量を測定する装置であり、単位時間・単位面積当たりに太陽から放射されるエネルギー量を測定可能である。サーバ装置４は、日射量測定部５６が測定した日射量を受信することで、ユーザが乗車する車内（化粧を施すであろう場所）の日射量を検出することもできる。
【００８０】
センサ群５７は、車両状態を検出する各種センサを含む。センサ群５７は、一例として、ＧＰＳ衛星からの信号を受信して車両５の位置を検出するＧＰＳセンサ５７１を有する。サーバ装置４は、ＧＰＳセンサ５７１が検出した位置情報を受信することで、車両５の位置情報を検出する。
【００８１】
なお図示は省略するが、車両５の速度を検出する車速センサ、車両５に作用する加速度を検出する加速度センサ、角速度を検出するジャイロセンサ、走行距離を検出する走行距離センサ、残燃料量を検出する残燃料検出センサ、残バッテリ容量を検出する残バッテリ容量検出センサ、ドアの開閉を検出するドア開閉センサなどもセンサ群５７に含まれる。
【００８２】
事業体端末６は、流行別、年齢別、目的別、地域別等のメイクが施された複数のメイク画像を有する事業体に設けられる。例えば、化粧品の製造販売等を行う化粧品製造販売会社、化粧に関する書籍を出版する出版会社等が有している端末である。図６は、図１に示す事業体端末６の要部構成を示すブロック図である。図６に示すように、事業体端末６は、通信部６１と、入出力部６２と、演算部６３と、記憶部６４とを有する。
【００８３】
通信部６１は、通信ネットワーク７を介してサーバ装置４と無線通信可能に構成される。入出力部６２は、例えばキーボード、マウス、モニタ、タッチパネル等を有する。演算部６３はＣＰＵを有し、入出力部６２を介して入力された信号、通信部６１を介して事業体端末６の外部（例えばサーバ装置４）から受信した信号および記憶部６４に記憶されたプログラム等に基づいて所定の処理を実行し、通信部６１、入出力部６２および記憶部６４にそれぞれ制御信号を出力する。演算部６３でのこの処理により、サーバ装置４に複数のメイク画像を送信することができる。
【００８４】
記憶部６４は、図示しない揮発性または不揮発性メモリを有する。記憶部６４には、演算部６３が実行する各種のプログラムや、各種のデータが記憶される。記憶部６４は、メモリが担う機能的構成の一例として、流行別、年代別（年齢別）、目的別、地域別等のメイクが施された複数のメイク画像が格納されたメイク画像データベース６５を有する。
【００８５】
メイク画像データベース６５は、格納されるメイク画像の一例として、目的に特化した目的別のメイク画像が格納された目的別データベース６５１と、地域に特化した地域別のメイク画像が格納された地域別データベース６５２とを有する。
【００８６】
目的別データベース６５１には、サーバ装置４の目的別データベース４４２ａに記憶されているメイク画像と同様のメイク画像が格納される。地域別データベース６５２には、サーバ装置４の地域別データベース４４２ｂに記憶されているメイク画像と同様のメイク画像が格納される。
【００８７】
図７Ａおよび図７Ｂは、上述のように構成された化粧支援システム１００における一連の化粧支援処理の流れを示すシーケンス図である。図７Ａに示すように、ユーザが、ユーザ端末２の化粧支援のアプリケーションを起動すると、通信部２１を介してユーザ端末２からサーバ装置４に化粧支援サービスの開始信号が送信される。
【００８８】
通信部４１を介してサーバ装置４が化粧支援サービスの開始信号を受信すると、サーバ装置４は、顔画像を要求する要求信号を、通信部４１を介してユーザ端末２に出力する。このときサーバ装置４は、車載端末５０にも顔画像を要求する要求信号を出力してもよい。
【００８９】
通信部２１を介してユーザ端末２が顔画像を要求する要求信号を受信すると、撮像部２５を用いて撮像されたユーザの顔画像データが、通信部２１を介してサーバ装置４に出力される。車載カメラ５９を用いた場合には、車載カメラ５９を用いて撮像されたユーザの顔画像データが、通信部５１を介してサーバ装置４に出力される。
【００９０】
通信部４１を介してサーバ装置４がユーザの顔画像データを受信すると、サーバ装置４は、ユーザのスケジュールを要求する要求信号を、通信部４１を介してユーザ端末２に出力する。
【００９１】
通信部２１を介してユーザ端末２がスケジュールを要求する要求信号を受信すると、入出力部２２を介して入力されたスケジュールデータが、通信部２１を介してサーバ装置４に出力される。
【００９２】
通信部４１を介してサーバ装置４がユーザのスケジュールデータを受信すると、サーバ装置４は、スケジュールが実行される日時の天候情報を要求する要求信号を、通信部４１を介してユーザ端末２に出力する。
【００９３】
通信部２１を介してユーザ端末２が天候情報を要求する要求信号を受信すると、天候情報取得部２６により取得された天候情報が、通信部２１を介してサーバ装置４に出力される。
【００９４】
通信部４１を介してサーバ装置４がスケジュールの実行される日時の天候情報を受信すると、サーバ装置４は、化粧が行われる場所の日射量を要求する要求信号を、通信部４１を介してユーザ端末２に出力する。このときサーバ装置４は、車載端末５０にも日射量を要求する要求信号を出力してもよい。
【００９５】
通信部２１を介してユーザ端末２が化粧の行われる場所の日射量を要求する要求信号を受信すると、日射量測定部２７により測定された日射量が、通信部２１を介してサーバ装置４に出力される。車載端末５０の日射量測定部５６を用いた場合には、日射量測定部５６を用いて測定された日射量が、通信部５１を介してサーバ装置４に出力される。
【００９６】
通信部４１を介してサーバ装置４が日射量を受信すると、サーバ装置４は、ユーザデータベース４４１からユーザの嗜好情報を取得する。ユーザの嗜好情報を取得すると、サーバ装置４は、通信部４１を介して事業体端末６のメイク画像データベース６５にメイク画像を要求する要求信号を送信する。このとき、サーバ装置は、ユーザのスケジュールのＴＰＯをわきまえたメイク画像を要求する。本実施形態においては、サーバ装置４は、スケジュールのＴＰＯをわきまえたメイク画像に加え、ユーザのスケジュールが実行される地域に適したメイク画像を要求する要求信号を送信する。具体的には、サーバ装置４は、１８時からの栃木県のホテルでの会食に見合うメイク画像を要求する。
【００９７】
通信部６１を介して事業体端末６がメイク画像の要求信号を受信すると、メイク画像データベース６５に格納されたメイク画像データが、通信部６１を介してサーバ装置４に送信される。なお、サーバ装置４は、自身の有するメイク画像データベース４４２に格納されたメイク画像を要求してももい。
【００９８】
図７Ｂに示すように、通信部４１を介してメイク画像データが受信されると、サーバ装置４のシミュレーション画像作成部４３５が、受信したメイク画像およびユーザの嗜好に基づいて、シミュレーション画像を作成する。このとき、作成したシミュレーション画像の色調を、取得した天候情報および日射量に基づいて調整する。
【００９９】
シミュレーション画像を作成すると、サーバ装置４は、通信部４１を介して、ユーザ端末２にシミュレーション画像データを送信する。通信部２１を介してユーザ端末２がシミュレーション画像データを受信すると、ユーザ端末２の入出力部２２にシミュレーション画像が表示される。
【０１００】
シミュレーション画像を同乗者と共有する場合は、通信部２１を介して、サーバ装置４に画像共有信号を送信する。通信部４１を介して画像共有信号を受信すると、サーバ装置４は、シミュレーション画像データを、通信部４１を介して同乗者端末３および車載端末５０に送信する。
【０１０１】
ユーザ端末２、同乗者端末３および車載端末の入出力部２２，３２，５２に出力されたシミュレーション画像に基づいてユーザが化粧を施す場合は、提案判定をＯＫとし、異なるシミュレーション画像を要求する場合は、サーバ装置４は、再度、シミュレーション画像を作成し、ユーザによる提案判定のＯＫがでるまで繰り返す。
【０１０２】
図８は、図４に示すサーバ装置４の演算部４３で実行される化粧支援処理の一例を示すフローチャートである。このフローチャートに示す処理は、例えば、ユーザがアプリケーションを起動させて開始信号（要求を指定する信号）をサーバ装置４が受信すると開始され、ユーザがサーバ装置４によるシミュレーション画像の提案を受け入れるまで実行される。
【０１０３】
まず、ステップＳ１において、顔画像取得部４３１での処理により、化粧を施す対象となるユーザの顔画像を取得する。本実施形態では、顔画像取得部４３１は、ユーザ端末２の撮像部２５または車両５の車載カメラ５９で撮像されたユーザの顔画像を取得する。
【０１０４】
次いで、ステップＳ２で、スケジュール取得部４３２での処理により、ユーザのスケジュールを取得する。本実施形態では、スケジュール取得部４３２は、ユーザによってユーザ端末２の入出力部２２を介して入力されたスケジュール情報を、通信部４１を介して受信することで取得する
【０１０５】
次いで、ステップＳ３で、天候情報取得部４３３での処理により、スケジュールの実行場所および時間の天候情報を取得する。本実施形態では、天候情報取得部４３３は、ユーザ端末２の天候情報取得部２６が取得した天候情報を、通信部４１を介して受信することで取得する。
【０１０６】
次いで、ステップＳ４で、日射量測定部４３４での処理により、ユーザが化粧をする場所の日射量を取得する。本実施形態では、日射量測定部４３４は、ユーザ端末２の日射量測定部２７が取得した日射量を、通信部４１を介して受信することで取得する。
【０１０７】
次いで、ステップＳ５で、シミュレーション画像作成部４３５での処理により、スケジュール取得部４３２により取得したスケジュールの時間、場所および目的に基づいて、スケジュールに適した化粧をユーザの顔画像に施したシミュレーション画像を作成する。本実施形態では、シミュレーション画像作成部４３５は、シミュレーション画像作成部４３５は、メイク画像データベース４４２に記憶されたメイク画像からスケジュールに適したメイク画像を抽出し、これに基づいてユーザの顔画像に化粧を施したシミュレーション画像を作成する。またシミュレーション画像作成部４３５は、天候情報および日射量に基づいて、シミュレーション画像の色調を調整する。
【０１０８】
次いで、ステップＳ６で、ユーザによるシミュレーション画像の承諾がなされたか否かを判定する。このときユーザは、同乗者の意見とともにシミュレーション画像の承諾の有無を判断する。ステップＳ６で否定されると、再度、シミュレーション画像の作成処理を実行し、ステップＳ６で肯定されると、処理を終了する。
【０１０９】
本実施形態によれば以下のような作用効果を奏することができる。
（１）サーバ装置４は、化粧を施す対象となるユーザの顔画像を取得する顔画像取得部４３１と、ユーザのスケジュールを取得するスケジュール取得部４３２と、スケジュール取得部により取得したスケジュールの時間、場所および目的の少なくとも１つに基づいて、スケジュールに適した化粧をユーザの顔画像に施したシミュレーション画像を作成するシミュレーション画像作成部４３５と、シミュレーション画像作成部４３５にて作成したシミュレーション画像を、ユーザにより指定されたユーザ端末２、同乗者端末３および車載端末５０のいずれかまたは全てに出力する出力部４３７とを備える。
【０１１０】
この構成により、例えば、実際に化粧を施す前に、ＴＰＯに応じた化粧をシミュレーション画像上で確認することができるとともに、親、友人、恋人および同僚等の知人である車両の同乗者等にこれから施す化粧を確認してもらうことができる。その結果、実際に化粧を施した後にこれら知人から指摘を受けて手直し等をする時間が短縮され、限られた時間の中で容易に化粧を施すことができる。このように、本実施形態に係る化粧支援装置を用いることで、化粧についての十分な知識を有さない人であっても、ＴＰＯ（時間と場所、目的）をわきまえた適切な化粧を容易に行うことができる。
【０１１１】
（２）取得されたスケジュールの中に場所または時間が含まれる場合、スケジュールの実行場所または時間の天候情報を取得する天候情報取得部４３３をさらに備え、シミュレーション画像作成部４３５は、天候情報取得部４３３により取得された天候情報に基づいて、作成するシミュレーション画像の色調を調整する。これにより、例えば、スケジュールが実行される場所での天候に適した化粧を施したシミュレーション画像を作成することができる。その結果、より最適なシミュレーション画像をユーザ等に提案することができる。
【０１１２】
（３）出力部４３７は、ユーザの利用環境に応じて、ユーザによって指定されたユーザ端末２、同乗者端末３および車載端末のいずれかまたは全てにシミュレーション画像を出力する。これにより、例えば、ユーザの利用環境が車内であった場合には、車両５の車載端末５０にシミュレーション画像を表示することが可能になり、同乗者が端末を有していない場合でもシミュレーション画像を共有することができる。
【０１１３】
（４）ユーザの嗜好が格納されたユーザデータベース４４１をさらに備え、シミュレーション画像作成部４３５は、ユーザデータベース４４１に記憶されたユーザの嗜好を優先してシミュレーション画像を作成する。これにより、例えば、ＴＰＯ（時間、場所および目的）をわきまえ、かつ自分の嗜好を取り入れた、適切なシミュレーション画像を提案することができる。
【０１１４】
（５）時間、場所および目的の少なくとも１つに基づいて作成された複数のメイク画像が格納されたメイク画像データベース４４２をさらに備え、シミュレーション画像作成部４３５は、メイク画像データベース４４２に格納されたメイク画像に基づいて、シミュレーション画像を作成する。これにより、例えば、ビッグデータから適切なメイク画像を抽出できるので、より適正なシミュレーション画像を提案することができる。
【０１１５】
（６）メイク画像データベース４４２に記憶されるメイク画像は、地域に特化したメイク画像を含む。これにより、例えば、ＴＰＯ（時間、場所および目的）をわきまえ、かつ地域に適した、適切なシミュレーション画像を提案することができる。
【０１１６】
（７）化粧支援システム１００は、（１）〜（６）のいずれか１に記載のサーバ装置４と、化粧を施す対象となるユーザの顔を撮像する撮像部２５または車載カメラ５９と、シミュレーション画像を出力するユーザ端末、同乗者端末および車載端末５０とを備える。
【０１１７】
この構成により、例えば、実際に化粧を施す前に、ＴＰＯに応じた化粧をシミュレーション画像上で確認することができるとともに、親、友人、恋人および同僚等の知人である車両の同乗者等にこれから施す化粧を確認してもらうことができる。その結果、実際に化粧を施した後にこれら知人から指摘を受けて手直し等をする時間が短縮され、限られた時間の中で容易に化粧を施すことができる。このように、本実施形態に係る化粧支援システムを用いることで、化粧についての十分な知識を有さない人であっても、ＴＰＯ（時間と場所、目的）をわきまえた適切な化粧を容易に行うことができる。
【０１１８】
（８）撮像装置は、ユーザが所有または利用する車両５に搭載される車載カメラ５９を含み、端末は、車両５に搭載される車載端末５０を含む。これにより、例えば、ユーザが所有あるいは利用する車両５を用いて化粧支援システムを利用可能になり、同僚と車両５で出社するときや友人と車両５で出かけるとき等においても、化粧支援システムを利用することができる。そのため、時間を有効に使うことができる。このときの車両は、自動運転モードを有する車両であることが好ましい。
【０１１９】
（９）端末は、車両５に同乗する同乗者の同乗者端末３を含む。これにより、例えば、同僚と車両５で出社するときや友人と車両５で出かけるとき等において、車載端末５０にシミュレーション画像を表示できない場合においても、シミュレーション画像を共有することができる。
【０１２０】
上記実施形態では、ユーザが友人（同乗者）とユーザが所有する車両に乗車して１８時からのホテルでの会食に出かける際に、ユーザの有するユーザ端末、同乗者の有する同乗者端末および車両に搭載された車載端末を介して、化粧支援装置を備える化粧支援システムを利用する例を用いて説明したが、本発明はこれに限定されない。ユーザの利用環境としては、例えば、車内に限らず、室内であってもよい。また友人に限らず、親や恋人等の知人であってもよい。車載端末は車内で利用する場合に用いられるものであって、利用環境が屋内の場合、ユーザおよび知人が所有する端末を用いることが好ましい。
【０１２１】
上記実施形態では、化粧支援装置１０１を構成するサーバ装置４は、顔画像取得部４３１と、スケジュール取得部４３２と、天候情報取得部４３３と、日射量測定部４３４と、シミュレーション画像作成部４３５と、利用環境取得部４３６と、出力部４３７とを有するが、本発明はこれに限定されない。サーバ装置は、顔画像取得部と、スケジュール取得部と、シミュレーション画像作成部と、出力部とを有していればよい。
【０１２２】
上記実施形態では、サーバ装置４は、顔画像取得部４３１を有して構成したが、サーバ装置の顔画像取得部を、例えばユーザ端末や車載カメラとする構成であってもよい。
【０１２３】
上記実施形態では、サーバ装置４は、天候情報取得部４３３および日射量測定部４３４を有して構成したが、サーバ装置の天候情報取得部および日射量測定部を、例えばユーザ端末の天候情報取得部および日射量測定部とする構成であってもよい。
【０１２４】
上記実施形態では、サーバ装置４は、事業体端末６からメイク画像を取得したが、サーバ装置の有するメイク画像データベースからメイク画像を取得する構成であってもよい。
【０１２５】
上記実施形態では、シミュレーション画像作成部４３５は、スケジュールの時間、場所および目的に基づいてスケジュールに適した化粧をユーザの顔画像に施したシミュレーション画像を作成したが、本発明はこれに限定されない。シミュレーション画像作成部４３５は、スケジュールの時間、場所および目的の少なくとも１つに基づいてスケジュールに適した化粧をユーザの顔画像に施したシミュレーション画像を作成すればよい。
【０１２６】
以上の説明はあくまで一例であり、本発明の特徴を損なわない限り、上述した実施形態により本発明が限定されるものではない。
【符号の説明】
【０１２７】
２  ユーザ端末、３  同乗者端末、４  サーバ装置、５  車両、６  事業体端末、７  通信ネットワーク、４３  演算部、４４  記憶部、５０  車載端末、１００  化粧支援システム、１０１  化粧支援装置、４３１  顔画像取得部、４３２  スケジュール取得部、４３５  シミュレーション画像作成部、４３７  出力部、４４２  メイク画像データベース
【図１】
2020154693.tif 000003
【図２】
2020154693.tif 000004
【図３】
2020154693.tif 000005
【図４】
2020154693.tif 000006
【図５】
2020154693.tif 000007
【図６】
2020154693.tif 000008
【図７Ａ】
2020154693.tif 000009
【図７Ｂ】
2020154693.tif 000010
【図８】
2020154693.tif 000011